(57)【要約】      （修正有）【課題】経済効果の高い、双安定エレクトロルミネッセンスパネルを提供する。【解決手段】全部で３つの電極アレイを有する、光電効果に基づく双安定エレクトロルミネッセンスパネルで、エレクトロルミネッセンスセルＣｎ，ｐのアレイ及び制御手段を備えた双安定性要素Ｂｎ，ｐのアレイと、電力供給のためにのみに用いられる電極Ｘｐのアレイと、主にアドレッシングのために用いられる電極Ａｐのアレイ並びにアドレッシング及び電力供給両方のために用いられる電極Ｙｎのアレイであって、他の２つのアレイの電極に対して横断して延びている電極Ｙｎのアレイと、を基板上に配置して、構成されるパネルを提供する。好適には、電極Ａｐは電極Ｘｐより狭い。パネルのアドレッシングフェーズにおける容量損失は、それ故、セル電力供給回路における電荷損失の増加を伴わずに、限定される。【選択図】図１
2005310776.tif 000002
【特許請求の範囲】
【請求項１】
画像を表示するための双安定性エレクトロルミネッセンスパネルであって：
エレクトロルミネッセンスセルのアレイ及び双安定性要素のアレイであって、各々がセルに関連付けられ、制御手段を備えている、エレクトロルミネッセンスセルのアレイ及び双安定性要素のアレイ；並びに
電力供給のために用いられる電極の第１アレイ及び電力供給のために用いられる電極の第２アレイ；
を基板上に配置されて、構成されている、双安定性エレクトロルミネッセンスパネルであり、
各々のエレクトロルミネッセンスセルは、第１電力供給アレイの電極と第２電力供給アレイの電極との間で、関連する双安定性要素と直列状態に接続されており；
セルに接続されたいずれの他の電極のアレイを除いて、アドレッシングのために主に用いられる電極のアレイから構成され；並びに
各々のエレクトロルミネッセンスセルの双安定性要素を制御するための手段は、主にアドレシングのために用いられるアレイの電極と、アドレッシング及び電力供給の両方のために用いられる第２アレイに属する前記セルの電力供給電極との間に接続されている；
ことを特徴とする双安定性エレクトロルミネッセンスパネル。
【請求項２】
請求項１に記載の双安定性エレクトロルミネッセンスパネルであって、アドレッシング
のために主に用いられるアレイの電極は第１電力供給アレイの電極より狭い、ことを特徴とする双安定性エレクトロルミネッセンスパネル。
【請求項３】
請求項１又は２に記載の双安定性エレクトロルミネッセンスパネルであって、アドレッシングのために主に用いられるアレイの電極は電力供給電極より少なくとも２倍狭い、ことを特徴とする双安定性エレクトロルミネッセンスパネル。
【請求項４】
請求項１乃至３のいずれ一項に記載の双安定性エレクトロルミネッセンスパネルであって：
第２アレイの電極は第１アレイの電極に対して横断するように延びており；及び
主にアドレッシングのために用いられるアレイの電極は電力供給のみのために用いられる電極に対して略平行に延びている；
ことを特徴とする双安定性エレクトロルミネッセンスパネル。
【請求項５】
請求項１乃至４のいずれ一項に記載の双安定性エレクトロルミネッセンスパネルであって、各々のエレクトロルミネッセンスセルは、中間層を構成する電極を用いて、それらのセルに関連する双安定性要素と直列に接続されている、ことを特徴とする双安定性エレクトロルミネッセンスパネル。
【請求項６】
請求項５に記載の双安定性エレクトロルミネッセンスパネルであって、前記中間層は透明又は半透明であり、セルに関連する双安定性要素は、前記中間層と第１アレイの電力供給電極との間に挿入されている光導電層から構成される、ことを特徴とする双安定性エレクトロルミネッセンスパネル。
【請求項７】
請求項６に記載の双安定性エレクトロルミネッセンスパネルであって、各々のエレクトロルミネッセンスセルに対して、関連双安定性要素を制御する手段は、前記セルをアドレッシングするために主に用いられる電極とアドレッシング及び電力供給の両方のために用いられる電極との間に挿入されているアドレスエレクトロルミネッセンス層から構成され、前記双安定性要素の光導電層と光結合されている、ことを特徴とする双安定性エレクトロルミネッセンスパネル。
【請求項８】
請求項７に記載の双安定性エレクトロルミネッセンスパネルであって、各々のエレクトロルミネッセンスセルは、前記セルの双安定性要素の制御手段にアドレスするエレクトロルミネッセンス層と全く同じ層を構成する主エレクトロルミネッセンス層から構成される、ことを特徴とする双安定性エレクトロルミネッセンスパネル。
【請求項９】
請求項１乃至８のいずれ一項に記載の双安定性エレクトロルミネッセンスパネルであって、第１アレイの電力供給電極全ては同じ電位で相互接続されている、ことを特徴とする双安定性エレクトロルミネッセンスパネル。
【請求項１０】
請求項１乃至９のいずれ一項に従ったパネルから構成されることを特徴とする画像表示装置。
【発明の詳細な説明】
【技術分野】
【０００１】
本発明は、画像を表示するための双安定性エレクトロルミネッセンスパネルであって：
−  エレクトロルミネッセンスセルアレイ及び双安定性要素アレイであって、それらの各々はセルに関連付けられ、制御手段を備えている、エレクトロルミネッセンスセルアレイ及び双安定性要素のアレイ；
−  電力供給のみに対して用いられる電極アレイ；並びに
−  アドレッシング及び電力供給のために用いられ、他のアレイの電極に対して横方向に延びている電極アレイ；
が基板上に配置されて、構成されている、双安定性エレクトロルミネッセンスパネルであり、
各々のエレクトロルミネッセンスセルは、電力供給アレイの一の電極と電力供給アレイの他の電極との間にそのセルに関連付けられる双安定性要素と直列に接続されている、双安定性エレクトロルミネッセンスパネルに関する。
【背景技術】
【０００２】
例えば、多結晶シリコンをベースとする半導体基板においてエッチングされる画素制御回路のアレイ上に配置されているエレクトロルミネッセンスセルのアレイから構成される、アクティブマトリクスエレクトロルミネッセンスパネルは周知である。各々の画素回路は、通常、関連セルを制御するために、そのセルと直列状態にある電流変調器から構成される。このシリーズの端子は各々、各アレイの電力供給電極に接続されている。画素回路は又、この回路をアクティブにするように意図された走査電極と、電流変調器の設定点に接続されたデータ電極とを備え、セルに映像データをアドレッシングするように意図されている。それ故、各々の画素に対して、４つの電極が存在する。それらの２つは電力供給電極であり、１つは走査電極であり、１つはデータ電極である。このようなパネルは、それ故、通常は、少なくとも４つの電極アレイから構成される。
【０００３】
又、パッシブマトリクス型の“双安定性”エレクトロルミネッセンスパネルは周知であり、そのようなパネルにおいては、各々の画素は、エレクトロルミネッセンスセルと、直列の双安定性要素とから構成される。この直列回路は、例えば、特許文献、国際公開第０３／０１２８６９号パンフレット及び国際公開第０３／０５４８４３号パンフレットに記載されているような、駆動及び電力供給両方の目的のために用いられる２つの電極間に接続されている。各々のシリーズに印加される電圧信号に依存して、各々の画素の双安定性要素は：
−  選択アクティブ化電圧アドレッシング信号に応答して安定性高インピーダンス“オフ”状態から安定性低インピーダンス“オン”状態にスイッチングし、又は、消去電圧アドレッシング信号に応答してその逆にスイッチングされることができ、
−  パネルのセル全てに対して同じである“維持”電圧を印加することにより、このアドレッシング信号により設定される、オフ又はオン状態に維持されることができる。
【０００４】
米国特許第４０３５７７４号明細書（ＩＢＭ）、米国特許第４８０８８８０号明細書（ＣＥＮＴ）、米国特許第６１８８１７５Ｂ１号明細書（ＣＤＴ）、国際公開第０３／０５４８４３号パンフレット及び米国特許第５０５５７３９号明細書には上記のタイプのパネルについて記載されており、それらの特許文献においては、各々の画素は、有機エレクトロルミネッセント層と積層された光導電層とから構成される。光導電層は画素の双安定性要素を構成する。
【０００５】
他の双安定性要素としては、例えば、仏国特許発明第２８４６７９４号明細書に記載されているｎ−ｐ−ｎ−ｐ接合、又は、例えば、米国特許出願公開第２００２／１９０６６４号明細書に記載されている有機層等が挙げられる。
【０００６】
米国特許出願公開第２００２／００４３９２７号明細書は光導電効果に基づく双安定性エレクトロルミネッセンスパネルについて記載しており、その特許文献においては、双安定性光導電要素のスイッチングは、パネル（参照番号５７）の背面に配置された、アドレッシングに特に専用のエレクトロルミネッセンスセルの発光により行われる。各々のアドレッシングエレクトロルミネッセンスセルは、光導電層（５１）の双安定性要素を有する絶縁層（４４）により光学的に結合されている。それ故、各々のアドレッシングエレクトロルミネッセンスセルは、パネルの各々の画素のオン又はオフ状態を制御する。それ故、４つの電極アレイが存在する。２つのアレイはアドレッシングエレクトロルミネッセンスセルに電力供給するためのものであり、２つは主エレクトロルミネッセンスセルに電力供給するためのものである。
【０００７】
特開平１１−１５４５９７号公報においては又、４つの電極アレイを備えた光導電効果に基づく双安定性エレクトロルミネッセンスパネルについて記載されている。該特許文献の図４及び５を参照するに、各々の画素において、エレクトロルミネッセンス層（２０）は、光導電要素（１４）と直列である主発光領域とアドレッシング領域とを横断する２つのアドレス電極（１７及び２４）間でアドレッシングされるように意図された領域に副分割され、この直列部分は、この主発光領域を横断する２つの電力供給電極（１２及び２２）間で電力供給される。光導電要素（１４）は、光結合を得るために、アドレッシングするように意図されたエレクトロルミネッセンス領域の近傍に配置される。特許文献、米国特許出願公開第２００２／００４３９２７号明細書に関しては、２つのアドレッシング電極のアレイと２つの電力供給電極のアレイとが存在する。
【０００８】
上記の特許文献、国際公開第０３／０１２８６９号パンフレット及び国際公開第０３／０５４８４３号パンフレットにおいて記載されている２つの電極アレイを有する光導電効果に基づく双安定性エレクトロルミネッセンスパネルに伴う問題点は、画素アドレッシングシーケンスにおける容量損失が非常に大きいことである。
【０００９】
実際には、アレイの１つの垂直方向電極が列と呼ばれ、他のアレイの水平方向電極が行と呼ばれる場合、列に対する容量損失は、Ｅ＝Ｃ・Ｖａ２・Ｎ・ｆ・ｓで表され、ここで、Ｃは行及び列の交差部分における電極間の静電容量であり、Ｎは行数、Ｖａはアドレッシング電圧、ｆはフレーム周波数、ｓは各々のフレームにおけるサブフレーム数である。電極は又、電力供給目的のために用いられるため、それら電極は、電荷損失のない電力供給をセルに行うために十分大きい表面積を提供する。
【００１０】
上記の特許文献、米国特許出願公開第２００２／００４３９２７号明細書及び特開平１１−１５４５９７号に記載されている、後方に記載されている４つの電極アレイを有する、光導電効果に基づく双安定性エレクトロルミネッセンスパネルに伴う問題点は、特に、電極アレイの数に関連する複雑さであって、その複雑さは経済的に不利である。
【００１１】
欧州特許第１２４６１５７号明細書においては、アクティブマトリクスエレクトロルミネッセンスパネルについて記載されている。各々のセルは、アクティブマトリクスの状態で組み込まれ、そして、トランジスタ（３）である制御手段をエレクトロルミネッセンスセル（８）と直列に接続された双安定性要素（この場合、“メモリ”要素（１０））から構成される、対応する画素回路を有する。このパネルは４つの電極アレイを有する。２つのアレイはセル（６及び７）に電力供給するためにのみ用いられ、１つのアレイ（４）は制御手段（３）を制御するために用いられ、１つのアレイ（５）はアドレッシングのために用いられる。これら４つのアレイの３つはアクティブマトリクスの状態で組み込まれなければならない。この場合、アクティブマトリクスの状態で３つの電極アレイを組み込む必要性は、パネルの光性能に関してさえ、経済的に不利である。
【発明の開示】
【課題を解決するための手段】
【００１２】
本発明の目的は、全部で３つの電極アレイを有する、特に、光電効果に基づく双安定性エレクトロルミネッセンスパネルを提供することにより、上記の問題点を回避することである。
【００１３】
このために、本発明の目的は、画像を表示するための双安定性エレクトロルミネッセンスパネルであって：
−  エレクトロルミネッセンスセルＣｎ，ｐのアレイ及び双安定性要素Ｂｎ，ｐのアレイであって、各々がセルに関連付けられ、制御手段を備えている、エレクトロルミネッセンスセルＣｎ，ｐのアレイ及び双安定性要素Ｂｎ，ｐのアレイと；
−  電力供給のために用いられる電極Ｘｐの第１アレイ及び電力供給のために用いられる電極Ｙｎの第２アレイと；
を基板上に配置されて、構成されている、双安定性エレクトロルミネッセンスパネルであり、
各々のエレクトロルミネッセンスセルＣｎ，ｐは、第１電力供給アレイの電極Ｘｐと第２電力供給アレイの電極Ｙｎとの間で、関連する双安定性要素Ｂｎ，ｐと直列状態に接続されており；
セルに接続されたいずれの他の電極のアレイを除いて、アドレッシングのために主に用いられる電極Ａｐのアレイから構成され；及び
各々のエレクトロルミネッセンスセルＣｎ，ｐの双安定性要素を制御するための手段は、アドレシングのために主に用いられるアレイの電極Ａｐと、アドレッシング及び電力供給の両方のために用いられる第２アレイに属する前記セルの電力供給電極Ｙｎとの間に接続されている；
双安定性エレクトロルミネッセンスパネルを製造することである。
【００１４】
本発明に従って、双安定性要素制御手段を制御するため、及び、それらの要素に対応するエレクトロルミネッセンスセルに電力供給するための両方のために、同じ電極が用いられる。例えば、本発明を、上記の特許文献、欧州特許第１２４６１５７号明細書における図１に記載されているパネルに適用することにより、トランジスタ３により示されている制御手段を制御する走査電極４及び電力供給電極６は、同一の電極を構成する。パネルの電極アレイの数は、それ故、その特許文献に記載されている４つのアレイに比較して、有利に限定される。
【００１５】
本発明の他の目的は、画像を表示するための双安定性エレクトロルミネッセンスパネルであって：
−  エレクトロルミネッセンスセルＣｎ，ｐのアレイ及び双安定性要素Ｂｎ，ｐのアレイであって、各々がセルに関連付けられ、制御手段を備えている、エレクトロルミネッセンスセルＣｎ，ｐのアレイ及び双安定性要素Ｂｎ，ｐのアレイと；
−  電力供給のためにのみ用いられる電極Ｘｐのアレイ；並びに
−  アドレッシングのため及び電力供給のための両方のために用いられ、他のアレイの電極Ｘｐに対して横方向に延びている電極Ｙｎのアレイと；
を基板上に配置されて、構成されている、双安定性エレクトロルミネッセンスパネルであり、
各々のエレクトロルミネッセンスセルＣｎ，ｐは、電力供給アレイの一の電極Ｘｐと電力供給アレイの他の電極Ｙｐとの間で、関連する双安定性要素Ｂｎ，ｐと直列状態に接続されており；
セルに接続されたいずれの他の電極のアレイを除いて、アドレッシングのために主に用いられ、電力供給のためのみに用いられる電極Ｘｐに略平行に延びている電極Ａｐのアレイから構成され；及び
各々のエレクトロルミネッセンスセルＣｎ，ｐの双安定性要素を制御するための手段は、アドレシングのために主に用いられるアレイの電極Ａｐと、アドレッシング及び電力供給の両方のために用いられる前記セルの電力供給電極Ｙｐとの間に接続されている；
双安定性エレクトロルミネッセンスパネルを製造することである。
【００１６】
好適には、アドレッシングのために主に用いられるアレイの電極Ａｐは、第１電力供給アレイの電極Ｘｐより狭い。パネルのアドレスフェーズにおける容量損失は、それ故、セル電力供給回路における電荷損失を増加させることなく、限定される。
【００１７】
好適には、これらのアドレス電極は、電力供給電極より少なくとも２倍狭く、そのことは、容量損失が著しく限定されることを意味する。
【００１８】
好適には、各々のエレクトロルミネッセンスセルＣｎ，ｐは、中間層を構成する電極を用いて、それらのセルに関連する双安定性要素Ｂｎ，ｐと直列に接続される。種々のセルの中間層は互いから電気的に絶縁されている。それらは、通常は、フローティングである。
【００１９】
好適には、中間電極は透明または半透明であり、セルに関連する双安定性要素は、前記中間層と前記セルに電力供給するためのみのために用いられる電極Ｘｐとの間に挿入される光導電層から構成される。それ故、パネルの各々の画素は、エレクトロルミネッセンス層要素と光導電層要素とから構成され、それらの２つの層要素の間には中間層を有している。中間電極の透明性のために、双安定性要素は、この要素の制御手段を用いてオン状態に即座にスイッチングされ、低インピーダンス状態であって、それ故、光導電層要素の状態に維持されるエレクトロルミネッセンス層要素は、透明な中間層と透過して、光を発光する。
【００２０】
好適には、各々のエレクトロルミネッセンスセルＣｎ，ｐは、前記セルの双安定性要素の制御手段にアドレッシングするエレクトロルミネッセンス層を有する同一の層を構成する主エレクトロルミネッセンス層から構成される。エレクトロルミネッセンス層と光導電層との間の光結合は、それ故、透明な又は半透明な中間電極により与えられる。
【００２１】
好適には、電力供給のみのために用いられる電極Ｘｐ全ては、同じ電位において相互接続する。
【００２２】
本発明の他の目的は、本発明に従ったパネルから構成される画像表示装置を製造することである。
【００２３】
本発明は、添付している図面を参照して、非限定的実施形態として記載されている、以下の詳細説明を読むことにより十分に理解されることであろう。
【００２４】
タイミング図を表す図は、比率が重要視される場合、顕著に現れない特定の細部をより明確に現すように値のスケーリングを考慮しない。
【００２５】
説明を簡単化するために、同じ機能を備える要素に対して、同様の又は類似する参照番号を用いている。
【発明を実施するための最良の形態】
【００２６】
図１及び２を参照するに、本発明に従ったパネルは、２つの電極アレイを、直接、担持する基板１と、セルに電力供給するために用いられるように意図された第１電力供給アレイＸｐと、アドレッシングのために主に用いられるように意図されたアレイＡｐとから構成される。これら２つの電極アレイは平行であり、垂直方向に延びており、それ故、“列”と名付けられる。電力供給電極Ｘｐは、アドレス電極Ａｐより実質的に幅が広く、好適には、少なくとも２倍の幅を有している。２つの隣接するアドレス電極間には電力供給電極Ｘｐがあり、又はその逆であっても良い。表されてはいないが、変形に従って、各々の電力供給電極Ｘｐは２つの電極Ｘｐａ、Ｘｐｂに副分割され、各々のアドレス電極Ａｐは２つの副分割された電極Ｘｐａ、Ｘｐｂ間に位置付けられる。
【００２７】
これらの２つの電極アレイは光導電層２を、直接、支持し、光導電層２自体は中間電極３を支持し、中間電極３は又、有機エレクトロルミネッセンス層４を支持し、有機エレクトロルミネッセンス層４は第２電力供給アレイＹｎを支持し、第２電力供給アレイＹｎの電極は他のアレイの電極Ｘｐ及びＡｐに対して垂直に延びている。これらの電極Ｙｎはアドレッシング及び電力供給の両方のために用いられる。
【００２８】
電極Ｘｐ及び隣接する電極Ａｐと電極Ｙｎとの各々の交差部分には、パネルのエレクトロルミネッセンスセルＣｎ，ｐがあり、そのセルの交差部分について、図２に示している。このエレクトロルミネッセンスセルは、有機エレクトロルミネッセンス層４の一部から構成される。この有機エレクトロルミネッセンス層４の一部の下方に位置付けられている光導電層２の一部は、このセルに関連付けられた双安定性要素Ｂｎ，ｐを構成する。エレクトロルミネッセンスセルＣｎ，ｐと双安定性要素Ｂｎ，ｐとにより構成されるシリーズは、このセルが位置付けられている交差部分における電極Ｘｐと電極Ａｐとの間に接続されている。パネルの種々の画素の中間電極３は互いに電気的に絶縁されている。これらの電極はフローティングである。
【００２９】
電極Ｘｐに隣接する電極Ａｐと同じ電極Ｙｎとの交差部分には、双安定性要素Ｂｎ，ｐの制御手段が位置付けられている。これらの制御手段は、ここでは、同じエレクトロルミネッセンス層４と光導電層２とにより構成され、それらの間に挿入された中間電極３を有している。これらの制御手段に関する変形については、下で説明する。
【００３０】
中間電極は透明であるため、制御手段と双安定性要素との間に光結合が存在する。電極Ａｐと電極Ｙｎとの交差部分に位置付けられたエレクトロルミネッセンス層の一部がこれらの電極間で適切なアドレッシング電圧信号の印加に続いて光を生成するとき、このように生成された光は透明な電極３を透過し、光導電層２に達し、次いで、低インピーダンス状態にスイッチングされ、それ故、双安定性要素Ｂｎ，ｐは切り換えられるようになる。電極Ｘｐ及び電極Ｙｎ間に加えられる電極供給電圧は、それ故、光を発光するセルＣｎ，ｐの端子に中継される。
【００３１】
上記の本発明に従ったパネルの製造については、ここでは詳細に説明することは省略する。その製造は、本質的に周知の手段及び方法を有する。
【００３２】
以下、非限定的例として、そのようなパネルを備える表示装置及びこのパネルを駆動する方法について説明する。
【００３３】
図１を参照するに、この装置は、それ故、上記のようなパネル、アドレス電極Ａｐを制御する手段１０、行電極Ｙｎを制御する手段１１から構成され、それら両方の手段はアドレッシング及び電力供給のために用いられる。これらの制御手段１０及び１１は、英語で“ｄｒｉｖｅｒ（ドライバ）”と呼ばれ、電極電力供給電圧に、後に述べ、及び図に示していない手段により生成される選択又はアドレス信号を送るように設計されている。
【００３４】
図１を参照するに、電力供給のみのために用いられるアレイの電極Ｘｐ全ては、互いに、及び、これらの電極に同じ電力供給電圧Ｖｓを供給する、パネルに電力供給する手段に接続されている。
【００３５】
一連の画像フレームを表示するためにパネルを駆動するように、各々のフレームは、画像に階調を符合化するために必要なビット数に従ってサブフレームに分解し、その手法は次の用である。即ち、各々のサブフレームの持続時間の間、行電極Ｙｎを制御する手段１１を用いて、パネルの各々の行電極Ｙｎは順に選択される。
【００３６】
図４の上部に示しているように、各々の行ｎの選択は次のような２つの操作から構成される。
−  先ず、行のセルＣｎ，ｐの双安定性要素全てを高インピーダンスのオフ状態に、他の行のセルの双安定性要素の状態が影響を受けることなく、スイッチングするようにデザインされ、
−  続いて、現時点のサブフレームの画像を表示するために達成されなければならないこの行のセルＣｎ，ｐの双安定性要素の低インピーダンスのオン状態にスイッチングし、再び、他の行のセルの双安定性要素の状態が影響を受けることなく、現時点のサブフレームの画像を表示するために達成されないこの行の他のセルの双安定性要素のオフ状態を維持するようにデザインされる。
【００３７】
図４は、次のように、行ｎのセルＣｎ，ｐの１つにアドレッシングするために印加された電圧信号のタイミング図を示している。
−  消去操作について：電力供給列Ｘｐに印加される共通電圧に等しい同じ電圧Ｖｓが、行ｎ及びアドレス電極Ａｐ全てに印加される。行ｎ−１を含む、他の行に印加される電圧は０Ｖに維持される。行ｎのセル全ては、次いで、オフにされ、他の行のセルは、電位Ｖｓにおける電力供給電極Ｘｐと電位０ＶにおけるＹｎ−１等の行電極との間の電位差Ｖｓにより電力供給され続ける。
−  書き込み操作の間に、負の振幅電圧ＶＬが選択された行ｎに印加される。この行のセルＣｎ，ｐをアクティブにするために、電圧Ｖｓ＋ＶＯＮが、それに対応するアドレス電極Ａｐに印加される。この行のセルＣｎ，ｐをアクティブにしないように、それに対応するアドレス電極Ａｐは前の操作の電位Ｖｓに維持される（図示せず）。
【００３８】
この行ｎの選択フェーズの後に、他の行の選択フェーズと、通常は、同じ画像のサブフレームの間に尚、行ｎに印加される電圧が０Ｖのレベルに維持される一般維持フェーズとが続く。このため、この行の画素に電力供給している電極間の電位差は、それ故、画像のサブフレームの持続時間の間、この行のアクティブにされたセルに電力供給するように、値Ｖｓに維持される。
【００３９】
これらの電圧信号全ては、上記の制御手段１０及び１１を用いて、本質的に既知の方法において適用される。
【００４０】
オン又はオフ状態を得るためには、それ故、次のようなことが望ましい。
−  オフ状態において双安定性要素に印加される電位差（Ｖｓ＋ＶＬ＋ＶＯＮ）がオフ状態をオン状態にスイッチングすること。図４のタイミング図の上部を参照されたい。
−  オフ状態において双安定性要素に印加される電位差（Ｖｓ＋ＶＯＮ）がオフ状態をオン状態にスイッチングしないようにすること。図４のタイミング図の下部を参照されたい。
【００４１】
ＶＤをエレクトロルミネッセンス層における発光をトリガする電圧とし、ＶＺを光導電層の臨界電圧とすると、次のようになる。
−  シリーズにおける２つの層の間に印加される電圧が閾値電圧ＶＤ以下の場合、このセルは、それ故、オフにスイッチングされる。
−  シリーズにおける２つの層の間に印加される電圧が閾値電圧ＶＤ＋ＶＺ以下の場合、このセルは、それ故、オンにスイッチングされる。
−  ＶＤとＶＤ＋ＶＺとの間におけるこれらの層間の電圧に対しては、セルの状態は変化しない。
【００４２】
それ故、
−  ＶＤ＜ＶＳ＜ＶＤ＋ＶＺ及びＶＤ＜ＶＳ＋ＶＯＮ＜ＶＤ＋ＶＺ
−  ＶＳ＋ＶＬ＋ＶＯＮ＞ＶＤ＋ＶＺ
であるように、ＶＳ、ＶＬ、ＶＯＮの値を選択することが望ましい。
【００４３】
図３を参照して、本発明に従った、上記のパネルの変形について、ここで説明する。
【００４４】
この変形は、主に、双安定性要素の制御手段が直列状態にある双安定性要素とセルから分離されている点で、上記のパネルと区別される。特に、この場合、電力供給及びアドレス電極Ｙｎの端子とアドレス電極Ａｐの端子に特定のエレクトロルミネッセンス層５により構成されたアドレスエレクトロルミネッセンスセルは、図３に示すように、光結合された光導電層２´により構成された双安定性要素の制御手段として用いられる。パネルの各々の画素に対して、アドレスエレクトロルミネッセンス層５は、主エレクトロルミネッセンス層４´の面積より実質的に小さい。
【００４５】
この変形は、しかしながら、前の実施形態より製造がより複雑である。
【００４６】
上記の実施形態の両方においては、アドレッシングに依存せず、非常に幅の広い電極Ｘｐ、Ｘｎを有するために、セル電力供給回路における電荷損失のいずれの増加をもたらすことなく、アドレス電極Ａｐと、電力供給及びアドレッシングのために用いられる電極Ｙｎとの交差部分の面積は、従来技術の２つの電極アレイを有する双安定性パネルにおけるより非常に小さい。
【００４７】
アドレス電極Ａｐに対する容量損失は、Ｅ＝Ｃ・Ｖａ２・Ｎ・ｆ・ｓであり、Ｅ＝Ｃ・Ｖａ２・Ｎ・ｆ・ｓで表され、ここで、Ｃはアドレス電極と行電極の交差部分の静電容量であり、Ｎは行数、ＶａはＶＳ＋ＶＬ＋ＶＯＮに等しいアドレッシング電圧、ｆはフレーム周波数、ｓは各々のフレームにおけるサブフレーム数である。その交差部分の面積は従来技術の２つの電極アレイを有する双安定性パネルにおける場合より小さいため、Ｃの値は非常に小さく、容量損失は減少する。更に、本発明に従ったパネルは、３つの電極アレイのみから構成されているため、それらのパネルは、従来技術の４つの電極アレイを有する双安定性パネルに比べて、よりシンプルであり、製造コストが安価である。それ故、本発明は、最適化の改善を提供することができる。
【００４８】
本発明は、光導電性の双安定性要素を有する有機エレクトロルミネッセンスパネルに関連して説明してきたが、同時提出の特許請求の範囲における範囲から逸脱することなく、本発明を他のタイプの双安定性エレクトロルミネッセンスパネルに適用することができることが、当業者に理解できることは明らかである。
【図面の簡単な説明】
【００４９】
【図１】本発明の実施形態に従ったパネルの平面図であって、本発明に特有の３つの電極アレイを示す図である。
【図２】図１のパネルの画素の、図１のＡＡ´による断面図である。
【図３】本発明の第２実施形態に対応する、図２の構造の変形を示す断面図である。
【図４】図１の実施形態に従ったパネルを駆動するために印加される電圧信号のタイミング図である。
【図１】
2005310776.tif 000003
【図２】
2005310776.tif 000004
【図３】
2005310776.tif 000005
【図４】
2005310776.tif 000006